(57)【特許請求の範囲】
【請求項１】
振動源側と支持側のいずれか一方に取り付けられる第１取付具と、振動源側と支持側のいずれか他方に取り付けられる第２取付具と、前記第１取付具と第２取付具との間に介設されたゴム状弾性体からなる防振基体と、前記防振基体が室壁の一部をなす液体が封入された主液室と、ゴム状弾性体からなるダイヤフラムと、前記ダイヤフラムが室壁の一部をなす液体が封入された副液室と、前記主液室と副液室を仕切る仕切り体と、前記主液室と副液室を連通させるオリフィス流路と、を備えた液封入式防振装置において、
前記仕切り体は、当該仕切り体の外周部に前記オリフィス流路を形成する環状のオリフィス形成部材と、前記オリフィス形成部材の内側を塞いで前記主液室と副液室を仕切るゴム状弾性体からなる弾性仕切膜と、前記弾性仕切膜に設置された可動弁と、を備え、
前記弾性仕切膜は、単一の貫通孔を有するものであって、中央部に当該貫通孔を有し、
前記可動弁は、前記弾性仕切膜の表裏の膜面に対して隙間を存して対向し当該膜面に接離自在な一対の板部と、前記貫通孔の内周面との間で隙間を存しつつ当該貫通孔に挿通されて前記一対の板部を連結する軸部と、を備えて、前記弾性仕切膜の表裏の膜面と前記一対の板部との間の前記隙間及び前記貫通孔の内周面と前記軸部の外周面との間の前記隙間により前記弾性仕切膜との間に前記主液室と副液室を連通する微小流路を形成するとともに、軸方向での変位により前記弾性仕切膜に当接することで前記微小流路を閉塞可能に設けられ、
前記弾性仕切膜は前記貫通孔の周りの表裏両側に軸方向に突出する環状の凸条を備え、前記可動弁の軸方向での変位により前記板部が前記凸条に当接することで前記微小流路が閉塞されるよう構成された
ことを特徴とする液封入式防振装置。
【請求項２】
前記可動弁がゴム状弾性体からなることを特徴とする請求項１記載の液封入式防振装置。
【請求項３】
前記可動弁は、前記一対の板部のうちの一方の板部と該一方の板部から突出形成された前記軸部とからなる第１弁部材と、前記一対の板部のうちの他方の板部を構成する第２弁部材とを、前記第１弁部材の前記軸部に前記第２弁部材の前記他方の板部を取り付け固定することで形成されたことを特徴とする請求項１又は２に記載の液封入式防振装置。
【発明の詳細な説明】
【技術分野】
【０００１】
本発明は、液封入式防振装置に関するものである。
【背景技術】
【０００２】
自動車エンジン等の振動源の振動を車体側に伝達しないように支承するエンジンマウント等の防振装置として、振動源側に取り付けられる第１取付具と、支持側に取り付けられる第２取付具と、これら取付具の間に介設されたゴム状弾性体からなる防振基体と、防振基体が室壁の一部をなす主液室と、ダイヤフラムが室壁の一部をなす副液室と、これら液室間を連通させるオリフィス流路とを備えた液封入式防振装置が知られている。液封入式防振装置においては、オリフィス流路での液流動による液柱共振作用や防振基体の制振効果により、振動減衰機能と振動絶縁機能が果たされる。
【０００３】
このような液封入式防振装置として、下記特許文献１には、主液室と副液室を仕切る仕切り体を次のように構成することが提案されている。すなわち、仕切り体は、環状のオリフィス形成部材と、その内周面間を塞ぐゴム状弾性材からなる弾性壁と、該弾性壁を貫通する連結部を介して互いに連結され前記弾性壁を軸芯方向で挟み込む一対の仕切り板、とからなり、該一対の仕切り板の軸芯方向における変位量が弾性壁によって規制されるように構成されている。上記仕切り板は、径方向外方側ほど軸方向外方に位置する傾斜面状に形成されており、これにより、防振装置への入力振動が微振幅のときには仕切り板が弾性壁に当たる面積を小さくでき、大振幅のときには仕切り板が弾性壁に当たる面積を大きくできる。そのため、この防振装置であると、高周波数域での微振幅振動に対しては仕切り板の往復動による低動ばね定数特性を実現し、低周波数域での大振幅振動に対してはオリフィス流路の液体流動効果によって高減衰特性を実現している。このように特許文献１では、仕切り板の接地面形状に傾斜を設定することにより、微振幅入力と大振幅入力での特性に差を持たせている。しかしながら、かかる傾斜の設定により、仕切り板の外径が大きくなる傾向にあり、小型の液封入式防振装置への適用に問題があった。
【０００４】
下記特許文献２には、上記特許文献１記載の防振装置の改良を目的として、一対の仕切り板によって挟み込まれる弾性壁部分に貫通孔を設け、微振幅振動時に該貫通孔を介して主液室と副液室を連通させることにより、微振幅振動時における更なる低動ばね化を図ることが開示されている。しかしながら、貫通孔は上下の仕切り板によって圧縮状態に挟持される弾性壁部分に設けられており、仕切り板の接地面形状に傾斜を設定することで、微振幅入力と大振幅入力とに特性の差を持たせるという点で特許文献１と同様であり、依然として小型の液封入式防振装置への適用には問題がある。
【０００５】
一方、下記特許文献３には、仕切り体の中央板部に貫通孔を設けるとともに、大振幅振動時に該中央板部に対接して貫通孔を閉塞できるゴム製可動弁を設けた構成が開示されている。この構成では、大振幅振動時には可動弁により貫通孔が閉塞されることでオリフィス流路による高減衰効果を得るとともに、微振幅振動時には貫通孔を介して液体を流動させることで低動ばね特性を実現することができる。しかしながら、貫通孔を閉塞させる際に可動弁が中央板部に当接するときの打音が、剛体である中央板部を介して支持側の取付具に伝達しやすく、異音の要因となる。
【先行技術文献】
【特許文献】
【０００６】
【特許文献１】特開２００９−００２４３３号公報
【特許文献２】ＷＯ２０１０／１１９６４３号
【特許文献３】特開２００１−２８０４０４号公報
【発明の概要】
【発明が解決しようとする課題】
【０００７】
本発明は、上記の点に鑑みてなされたものであり、大振幅振動時の高減衰性能と微振幅振動時の低動ばね特性を両立しつつ、装置の小型化が容易であり、また異音の発生を抑えることができる液封入式防振装置を提供することを目的とする。
【課題を解決するための手段】
【０００８】
本発明に係る液封入式防振装置は、振動源側と支持側のいずれか一方に取り付けられる第１取付具と、振動源側と支持側のいずれか他方に取り付けられる第２取付具と、前記第１取付具と第２取付具との間に介設されたゴム状弾性体からなる防振基体と、前記防振基体が室壁の一部をなす液体が封入された主液室と、ゴム状弾性体からなるダイヤフラムと、前記ダイヤフラムが室壁の一部をなす液体が封入された副液室と、前記主液室と副液室を仕切る仕切り体と、前記主液室と副液室を連通させるオリフィス流路と、を備えたものである。前記仕切り体は、当該仕切り体の外周部に前記オリフィス流路を形成する環状のオリフィス形成部材と、前記オリフィス形成部材の内側を塞いで前記主液室と副液室を仕切るゴム状弾性体からなる弾性仕切膜と、前記弾性仕切膜に設置された可動弁と、を備える。前記弾性仕切膜は、単一の貫通孔を有するものであって、中央部に当該貫通孔を有する。前記可動弁は、前記弾性仕切膜の表裏の膜面に対して隙間を存して対向し当該膜面に接離自在な一対の板部と、前記貫通孔の内周面との間で隙間を存しつつ当該貫通孔に挿通されて前記一対の板部を連結する軸部と、を備えて、前記弾性仕切膜の表裏の膜面と前記一対の板部との間の前記隙間及び前記貫通孔の内周面と前記軸部の外周面との間の前記隙間により前記弾性仕切膜との間に前記主液室と副液室を連通する微小流路を形成するとともに、軸方向での変位により前記弾性仕切膜に当接することで前記微小流路を閉塞可能に設けられている。前記弾性仕切膜は前記貫通孔の周りの表裏両側に軸方向に突出する環状の凸条を備え、前記可動弁の軸方向での変位により前記板部が前記凸条に当接することで前記微小流路が閉塞されるよう構成されている。
【０００９】
本発明の好ましい態様において、前記可動弁はゴム状弾性体からなる。他の好ましい態様において、前記一対の板部の周縁部に前記弾性仕切膜の膜面に向かって突出する環状突起が設けられ、前記可動弁の軸方向での変位により前記環状突起が前記弾性仕切膜の膜面に当接することで前記微小流路が閉塞されるよう構成される。他の好ましい態様において、前記可動弁は、前記一対の板部のうちの一方の板部と該一方の板部から突出形成された前記軸部とからなる第１弁部材と、前記一対の板部のうちの他方の板部を構成する第２弁部材とを、前記第１弁部材の前記軸部に前記第２弁部材の前記他方の板部を取り付け固定することで形成される。これらの好ましい各態様は適宜に組み合わせることができる。
【発明の効果】
【００１０】
本発明の液封入式防振装置であると、大振幅振動時には、可動弁が弾性仕切膜に当接して微小流路を閉塞するので、オリフィス流路の液体流動効果によって高減衰特性を発揮することができる。微振幅振動時には、微小流路を介して主液室と副液室との間で液体を流動させることにより、低動ばね特性を実現することができる。また、かかる特性の切り替えのために、上記従来の仕切り板の接地面形状のような傾斜を設定する必要がないので、可動弁を小型化することができ、液封入式防振装置の小型化に繋がる。また、大振幅振動時に可動弁が弾性仕切膜に当接したときに、その衝撃がゴム状弾性体からなる弾性仕切膜を介してオリフィス形成部材に伝わるので、該衝撃の伝達を低減して、異音の発生を抑制することができる。
【図面の簡単な説明】
【００１１】
【図１】第１実施形態に係る液封入式防振装置の縦断面図である。
【図２】同防振装置の仕切り体の縦断面図である。
【図３】同仕切り体の分解縦断面図である。
【図４】第２実施形態に係る液封入式防振装置の縦断面図である。
【図５】同防振装置の仕切り体の縦断面図である。
【図６】同仕切り体の分解縦断面図である。
【発明を実施するための形態】
【００１２】
以下、本発明の実施形態を図面に基づいて説明する。
【００１３】
（第１実施形態）
図１に示された第１実施形態に係る液封入式防振装置１０は、自動車のエンジンを支承するエンジンマウントであり、振動源であるエンジン側に取り付けられる上側の第１取付具１２と、支持側の車体に取り付けられる筒状をなす下側の第２取付具１４と、これら両取付具１２，１４の間に介設されて両者を連結するゴム弾性体からなる防振基体１６とを備えてなる。なお、図１は無負荷状態を示している。
【００１４】
第１取付具１２は、第２取付具１４の軸芯部上方に配されたボス金具であり、径方向（即ち、軸方向Ｘに垂直な方向である軸直角方向）Ｋの外方に向けてフランジ状に突出するストッパ部１８を備える。第１取付具１２の上面にはボルト穴２０が設けられており、このボルト穴２０を用いて不図示のボルトによりエンジン側に取り付けられるように構成されている。
【００１５】
第２取付具１４は、中央部に段差部を持つ段付き円筒状の金具であり、その外周部が不図示のブラケットに保持されることにより、該ブラケットを介して車体側に取り付けられるように構成されている。
【００１６】
防振基体１６は、略傘状に形成され、その上部に第１取付具１２が埋設された状態に加硫接着され、下端外周部が第２取付具１４における大径状の上部側内周面に加硫接着されている。防振基体１６の下端部には、第２取付具１４における小径状の下部側内周面を覆うゴム膜状のシール壁部２２が連なっている。また、防振基体１６の上端には、ストッパ部１８を被覆するストッパゴム２４が連なっている。
【００１７】
第２取付具１４には、防振基体１６の下面に対して軸方向Ｘに対向配置されて防振基体１６との間に液体封入室２６を形成する可撓性ゴム膜からなるダイヤフラム２８が取り付けられ、液体封入室２６に液体が封入されている。ダイヤフラム２８は、外周部に環状の補強部材３０を備え、該補強部材３０を介して第２取付具１４の下端内周面に嵌着固定されている。なお、第２取付具１４の下端は内向きに折曲形成されて、補強部材３０の抜けが防止されている。
【００１８】
液体封入室２６は、第２取付具１４の内側において、防振基体１６の下面とダイヤフラム２８の上面との間に形成されており、水やエチレングリコール、シリコーンオイル等の液体が封入されている。液体封入室２６は、仕切り体３２によって、防振基体１６側、即ち防振基体１６が室壁の一部をなす上側の主液室２６Ａと、ダイヤフラム２８側、即ちダイヤフラム２８が室壁の一部をなす下側の副液室２６Ｂとに仕切られている。
【００１９】
仕切り体３２は、平面視円形をなして第２取付具１４の内側にシール壁部２２を介して嵌着されており、防振基体１６の下端外周に設けられた段部１６Ａとダイヤフラム２８の補強部材３０との間で軸方向Ｘに挟持固定されている。仕切り体３２は、図１，２に示すように、その外周部にオリフィス流路３４を形成する環状のオリフィス形成部材３６と、該オリフィス形成部材３６の内側（即ち、中空部）を塞いで主液室２６Ａと副液室２６Ｂを仕切るゴム膜からなる弾性仕切膜３８と、弾性仕切膜３８に設置された可動弁４０とを備えてなる。
【００２０】
オリフィス形成部材３６は、剛体からなり、すなわち金属や合成樹脂などの剛性材料により形成されている。オリフィス形成部材３６は、径方向Ｋ外方側に開かれた断面コの字状をなしており、第２取付具１４の内側において、上記シール壁部２２との間にオリフィス流路３４を形成する。
【００２１】
オリフィス流路３４は、仕切り体３２の外周部において周方向に沿って設けられた液体の絞り流路であり、主液室２６Ａと副液室２６Ｂを連通させる。オリフィス流路３４は、周方向の一端がオリフィス形成部材３６に設けられた不図示の第１開口を介して主液室２６Ａ側に連通され、他端がオリフィス形成部材３６に設けられた不図示の第２開口を介して副液室２６Ｂ側に連通されている。
【００２２】
オリフィス流路３４は、この例では車両走行時のシェイク振動を減衰するために、シェイク振動に対応した低周波数域（例えば、５〜１５Ｈｚ程度）にチューニングされた低周波側オリフィスである。すなわち、オリフィス流路３４を通じて流動する液体の共振作用に基づく減衰効果がシェイク振動の入力時に有効に発揮されるように、流路の断面積及び長さを調整することによってチューニングされている。
【００２３】
弾性仕切膜３８は、平面視円形状をなし、オリフィス形成部材３６の内周面間を塞ぐように、弾性仕切膜３８の周縁部がオリフィス形成部材３６の内周面に加硫接着されている。弾性仕切膜３８は、その径方向Ｋ中央部に軸方向Ｘに貫通する円形の貫通孔４２を有し、貫通孔４２の周りの表裏両側には、軸方向Ｘに突出する環状の凸条４４が設けられている。弾性仕切膜３８は、該凸条４４よりも外側の膜部分が径方向Ｋ外方側ほど漸次厚肉状に形成されている。
【００２４】
可動弁４０は、弾性仕切膜３８の表裏の膜面に対して隙間４６を存して対向する上下一対の板部４８，５０と、弾性仕切膜３８の貫通孔４２に挿通された軸部５２とからなり、上下の板部４８，５０が軸部５２を介して連結されてなる。
【００２５】
軸部５２は、軸方向Ｘに延びる円柱状をなし、貫通孔４２の内周面との間で隙間５４を存しつつ当該貫通孔４２に挿通されている。すなわち、軸部５２は、貫通孔４２よりも小径に設定されており、軸部５２の外周面と貫通孔４２の内周面との間には、液体が流通することが可能な微小隙間５４が確保されている。
【００２６】
上側の板部４８は、平面視円板状をなして軸部５２の上端部に垂直に結合されており、主液室２６Ａ内に配されて主液室２６Ａ内の液圧を受ける。上側の板部４８は、弾性仕切膜３８の上面、即ち主液室２６Ａ側の膜面に対して微小隙間４６を保有して対向しており、上下に変位することで当該膜面に接離自在に構成されている。下側の板部５０は、平面視円板状をなして軸部５２の下端部に垂直に結合されており、副液室２６Ｂ内に配されて副液室２６Ｂ内の液圧を受ける。下側の板部５０は、弾性仕切膜３８の下面、即ち副液室２６Ｂ側の膜面に対して微小隙間４６を保有して対向しており、上下に変位することで当該膜面に接離自在に構成されている。
【００２７】
可動弁４０は、上記隙間４６，５４により、弾性仕切膜３８との間に主液室２６Ａと副液室２６Ｂを連通する微小流路５６を形成しており、軸方向Ｘでの変位により弾性仕切膜３８に当接することで、該微小流路５６が閉塞できるように構成されている。この例では、一対の板部４８，５０の周縁部には、弾性仕切膜３８の膜面に向かって互いに軸方向Ｘ内向きに突出する環状突起５８が設けられており、可動弁４０が軸方向Ｘにおいて変位することで、環状突起５８が対向する弾性仕切膜３８の膜面に全周にわたって当接し、これにより上記微小流路５６が閉塞するように構成されている。
【００２８】
微小流路５６は、可動弁４０と弾性仕切膜３８との間に形成された微小な隙間４６，５４によって形成される流路であり、上記オリフィス流路３４よりも断面積及び長さが小さく設定されており、微振幅振動時に高周波数域（例えば、アイドル振動に対応した２０〜５０Ｈｚ程度）における動ばね定数を低減できるようにチューニングされていることが好ましい。
【００２９】
可動弁４０は、この実施形態では、剛体からなり、ここでは合成樹脂により形成されている。また、可動弁４０は、図３に示すように、上下の板部４８，５０のうちの一方の板部４８と該一方の板部４８から突出形成された軸部５２とからなる第１弁部材６０と、前記一対の板部４８，５０のうちの他方の板部５０を構成する第２弁部材６２とで構成されている。すなわち、第１弁部材６０の軸部５２を弾性仕切膜３８の貫通孔４２に挿通させ、その状態で該軸部５２に第２弁部材６２の他方の板部５０を溶着により取り付け固定することで、可動弁４０が形成されている。詳細には、他方の板部５０には中央部に固定用孔６４が設けられており、該固定用穴６４に軸部５２の先端部を入れて、超音波溶着することで固着されている。
【００３０】
以上よりなる液封入式防振装置１０であると、停車したアイドル時のように高周波数域の微振幅振動（例えば入力振幅が±０．０５ｍｍ程度）が生じたときには、可動弁４０の動き（変位）が小さいことから、微小流路５６は開状態となり、微小流路５６を介して主液室２６Ａと副液室２６Ｂとの間で液体が流動する。そのため、主液室２６Ａ内の液圧上昇を緩和して、該液圧上昇に伴う動ばね定数の上昇を緩和することができる。なお、このとき、オリフィス流路３４も開状態であるが、オリフィス流路３４は低周波数側にチューニングされているため、液体の流動抵抗が大きく実質的に目詰まりした状態となる。よって、アイドル振動のような高周波数域の振動を効果的に吸収することができる。
【００３１】
一方、車両走行時においてシェイク振動のように低周波数域の大振幅振動（例えば入力振幅が±０．５ｍｍ程度）が生じたときには、可動弁４０の動き（変位）が大きく、そのため微小流路５６が閉塞される。これにより、外周側のオリフィス流路３４のみが開放された状態となり、該オリフィス流路３４を流動する液体の共振作用に基づき、シェイク振動に対して減衰性能が効果的に発揮される。
【００３２】
このように本実施形態であると、入力振動の振幅に依存して軸方向Ｘでの動き（変位）量が変化する可動弁４０を設けた上で、該可動弁４０の動き（変位）量に依存して開閉する微小流路５６を設けたことにより、振幅により特性を切り替えることができ、大振幅振動時の高減衰性能と微振幅振動時の低動ばね特性を両立することができる。
【００３３】
また、本実施形態であると、かかる特性の切り替えのために上記特許文献１，２に記載の仕切り板の接地面形状のような傾斜を設定する必要がなく、より小径の可動弁４０で特性の切り替えを行うことができるので、防振装置を縮径して小型化を図ることができる。
【００３４】
また、本実施形態であると、大振幅振動時に可動弁４０が弾性仕切膜３８に当接したときに、その衝撃の伝達経路にゴム状弾性体からなる弾性仕切膜３８が介在するので、該ゴム弾性体によって車体側への衝撃の伝達を低減することができ、異音の発生を抑制することができる。
【００３５】
また、特にこの例では、一対の板部４８，５０の周縁部に環状突起５８を設け、該環状突起５８を弾性仕切膜３８の膜面に当接させることで微小流路５６を閉塞するようにしたので、特性を切り替えるための可動弁４０と弾性仕切膜３８との接触面積を小さくすることができ、そのため、大振幅振動時に可動弁４０と弾性仕切膜３８が接触するときの打音を低減することができる。
【００３６】
本実施形態の液封入式防振装置１０であると、また、上記切り替え機構を持つ仕切り体３２が弾性仕切膜３８により構成されているので、例えば１００Ｈｚ程度のより高周波数域の振動に対しても、弾性仕切膜３８が微小振動することで動ばね定数の上昇を抑制することができ、いわゆるこもり音に対する低減効果を発揮することもできる。
【００３７】
また、この実施形態では、可動弁４０を合成樹脂製とし、第１弁部材６０と第２弁部材６２を溶着させることで両者を連結一体化しているので、次の作用効果が奏される。すなわち、一般に加硫成形により作製される弾性仕切膜３８は厚みバラツキを有している場合があるが、弾性仕切膜３８に対して第１弁部材６０と第２弁部材６２を溶着して組み付けることにより、溶着部で該厚みバラツキを吸収することができる。つまり、溶着時に光学センサ等を用いて上記隙間４６を測定しながら溶着することにより、加硫成形時の厚みバラツキにもかかわらず、一定の隙間４６を確保することができ、特性の切り替え制御の精度を向上することができる。
【００３８】
なお、この実施形態では、可動弁４０を合成樹脂等の剛体で形成したが、可動弁４０はゴム弾性体で構成してもよい。可動弁４０をゴム弾性体で構成した場合、大振幅振動時に可動弁４０と弾性仕切膜３８が当接したときに、ゴム弾性体同士の当接であるため、衝撃が緩和され、接触による異音の発生を更に低減することができる。
【００３９】
（第２実施形態）
図４〜６は、第２実施形態に係る液封入式防振装置１０Ａに関するものである。この実施形態では、可動弁４０の構成が上述した第１実施形態とは異なる。
【００４０】
すなわち、本実施形態では、可動弁４０は、上下一対の板部４８，５０と軸部５２とがゴム弾性体により一体に加硫成形されている。そして、上下の板部４８，５０は、弾性仕切膜３８の膜面に対向する面が平面状に形成されている。詳細には、上側の板部４８は、その下面、すなわち弾性仕切膜３８の主液室２６Ａ側の膜面に対向する面が、軸方向Ｘに垂直な平面状に形成されている。同様に、下側の板部５０は、その上面、すなわち弾性仕切膜３８の副液室２６Ｂ側の膜面に対向する面が、軸方向Ｘに垂直な平面状に形成されている。また、上側の板部４８の上面と下側の板部５０の下面、すなわち軸方向Ｘ外方側の両端面は、径方向Ｋ中心側ほど軸方向Ｘ外方側に位置するように傾斜したテーパ面状に形成されている。
【００４１】
弾性仕切膜３８は、基本的には第１実施形態と同様に構成されており、径方向Ｋ中央部に設けられた貫通孔４２の周りの表裏両側には、軸方向Ｘに突出する環状の凸条４４が設けられ、また、凸条４４よりも外側の膜部分が径方向Ｋ外方側ほど僅かではあるが漸次厚肉状に形成されている。
【００４２】
これにより、可動弁４０と弾性仕切膜３８との間には、弾性仕切膜３８の表裏の膜面とこれに対向する上下の板部４８，５０の平坦な板面との間に隙間４６が形成され、また、軸部５２の外周面と貫通孔４２の内周面との間に第１実施形態と同様の隙間５４が形成されている。そのため、これらの隙間４６，５４によって可動弁４０と弾性仕切膜３８との間には、主液室２６Ａと副液室２６Ｂを連通する微小流路５６が形成されており、可動弁４０の軸方向Ｘでの変位により、板部４８，５０の上記平坦な板面が弾性仕切膜３８の凸条４４に全周にわたって当接することで微小流路５６が閉塞されるように構成されている。
【００４３】
かかる第２実施形態によれば、第１実施形態と同様、高周波数域の微振幅振動が生じたときには、微小流路５６が開状態となり、微小流路５６を介して主液室２６Ａと副液室２６Ｂとの間で液体が流動するので、動ばね定数の上昇を緩和することができる。また、低周波数域の大振幅振動が生じたときには、可動弁４０により微小流路５６が閉塞されることで、オリフィス流路３４を流動する液体の共振作用に基づき減衰性能が効果的に発揮される。そのため、第１実施形態と同様に、振幅により特性を切り替えることができ、大振幅振動時の高減衰性能と微振幅振動時の低動ばね特性を両立することができる。また、本実施形態であると、第１実施形態と同様に、防振装置の小型化や異音の抑制を図ることができ、こもり音に対する低減効果を発揮することもできる。
【００４４】
そして、特に本実施形態であると、弾性仕切膜３８の貫通孔４２周りに凸条４４を設け、該凸条４４を可動弁４０の板部４８，５０の平坦な板面に当接させることで微小流路５６を閉塞するようにしたので、特性を切り替えるための可動弁４０と弾性仕切膜３８との接触面積を小さくすることができ、そのため、大振幅振動時に可動弁４０と弾性仕切膜３８が接触するときの打音を低減することができる。
【００４５】
また、この実施形態では、可動弁４０がゴム弾性体からなるため、大振幅振動時に可動弁４０と弾性仕切膜３８が当接したときに、ゴム弾性体同士の当接であるため、衝撃が緩和され、接触による異音の発生を更に低減することができる。
【００４６】
また、この実施形態では、弾性仕切膜３８と可動弁４０がともにゴム弾性体からなるため、可動弁４０を弾性仕切膜３８に組み込む際には、図６に示すように、可動弁４０を弾性仕切膜３８の貫通孔４２に押し込めばよい。貫通孔４２の周縁部に押し付けられた可動弁４０の板部４８は挿入方向後方に倒れ込み、また貫通孔４２が弾性変形により若干広がることで、板部４８が貫通孔４２を乗り越えることができ、図５に示すような組み込まれた状態となる。その際、可動弁４０の板部４８のテーパ面形状により、板部４８が撓み変形して傘形状が閉じた状態になりやすく、組み付け作業性に優れる。
【００４７】
第２実施形態について、その他の構成および作用効果については第１実施形態と同様であり、同じ構成要素には同じ符号を付して説明は省略する。
【００４８】
（その他の実施形態）
上記実施形態では、特性切り替えの対象をシェイク振動とアイドル振動としたが、これに限らず、周波数の異なる種々の振動に対して適用することができる。また、上記実施形態では、第１取付具１２が振動源側、第２取付具１４が支持側に取り付けられるものについて説明したが、これとは逆に、第１取付具１２が支持側、第２取付具１４が振動源側に取り付けられるものであってもよい。その他、一々列挙しないが、本発明の趣旨を逸脱しない限り、種々の変更が可能である。
【産業上の利用可能性】
【００４９】
本発明は、エンジンマウントの他、例えばモータなど他のパワーユニットを支承するマウント、ボディマウント、デフマウントなど、種々の防振装置に利用することができる。
【符号の説明】
【００５０】
１０…液封入式防振装置    １２…第１取付具          １４…第２取付具
１６…防振基体            ２６…液体封入室          ２６Ａ…主液室
２６Ｂ…副液室            ２８…ダイヤフラム        ３２…仕切り体
３４…オリフィス流路      ３６…オリフィス形成部材  ３８…弾性仕切膜
４０…可動弁              ４２…貫通孔              ４４…凸条
４６，５４…隙間          ４８，５０…板部          ５２…軸部
５６…微小流路            ５８…環状突起            ６０…第１弁部材
６２…第２弁部材
【図１】
0005925545.tif 000002
【図２】
0005925545.tif 000003
【図３】
0005925545.tif 000004
【図４】
0005925545.tif 000005
【図５】
0005925545.tif 000006
【図６】
0005925545.tif 000007